(57)【特許請求の範囲】
【請求項１】
前後方向と、
前記前後方向に直交する幅方向と、
着用者の肌とは反対側に向けられる裏面シートと、
前記裏面シートの非肌面側に設けられた粘着部と、
前記裏面シートの非肌面側に固定された後処理用のテープ部材と、を有し、
前記テープ部材の前記裏面シートに接する部分は、前記裏面シートに固定されていない非固定部を有し、
前記テープ部材の前記非固定部は、前記テープ部材の内側から前記テープ部材の外縁の少なくとも一部に達しており、
前記裏面シートの、前記テープ部材の少なくとも前記非固定部に接する面が、静電気防止処理されている、吸収性物品。
【請求項２】
前後方向と、
前記前後方向に直交する幅方向と、
着用者の肌とは反対側に向けられる裏面シートと、
前記裏面シートの非肌面側に設けられた粘着部と、
前記裏面シートの非肌面側に固定された後処理用のテープ部材と、を有し、
前記テープ部材の前記裏面シートに接する部分は、前記裏面シートに固定されていない非固定部を有し、
前記テープ部材の前記非固定部は、前記テープ部材の内側から前記テープ部材の外縁の少なくとも一部に達しており、
前記テープ部材は、前記テープ部材の前記外縁から前記テープ部材の内側へ向けた方向へ延びる一対の引き裂き部を有し、
前記一対の引き裂き部どうしの間の領域は、前記非固定部であり、
前記テープ部材の、前記一対の引き裂き部よりも両外側に、前記テープ部材を前記裏面シートに固定する固定部が設けられており、
前記非固定部及び前記引き裂き部は、前記固定部によって挟まれている、吸収性物品。
【請求項３】
前記一対の引き裂き部が延びる方向に直交する方向において、前記固定部は、前記一対の引き裂き部と少なくとも部分的に重なっている、請求項２に記載の吸収性物品。
【請求項４】
前後方向と、
前記前後方向に直交する幅方向と、
着用者の肌とは反対側に向けられる裏面シートと、
前記裏面シートの非肌面側に設けられた粘着部と、
前記裏面シートの非肌面側に固定された後処理用のテープ部材と、を有し、
前記テープ部材の前記裏面シートに接する部分は、前記裏面シートに固定されていない非固定部を有し、
前記テープ部材の前記非固定部は、前記テープ部材の内側から前記テープ部材の外縁の少なくとも一部に達しており、
前記テープ部材は、前記テープ部材の前記外縁から前記テープ部材の内側へ向けた方向へ延びる一対の引き裂き部を有し、
前記一対の引き裂き部どうしの間の領域は、前記非固定部であり、
前記一対の引き裂き部どうしの間の距離は、前記テープ部材の前記外縁から、前記引き裂き部の引き裂き方向の下流に向かうにつれて大きくなっている、吸収性物品。
【請求項５】
前記テープ部材の前記外縁は凸部を有し、前記一対の引き裂き部は前記凸部を挟む位置に配置されている、請求項２から請求項４のいずれか１項に記載の吸収性物品。
【請求項６】
前記一対の引き裂き部は、交互に並んだ穴部と非穴部とを含み、
前記穴部は、前記テープ部材の前記外縁に達している、請求項２から請求項５のいずれか１項に記載の吸収性物品。
【請求項７】
前記テープ部材の前記非固定部は、前記吸収性物品の前記前後方向における外縁に配置されている、請求項１から請求項６のいずれか１項に記載の吸収性物品。
【請求項８】
前記テープ部材の前記非固定部は、前記前後方向における前記吸収性物品の中心に近い方の外縁に配置されている、請求項７に記載の吸収性物品。
【請求項９】
前記テープ部材の前記非固定部は、前記テープ部材の外縁に沿って、一方向に端から端まで延びている、請求項１から８のいずれか１項に記載の吸収性物品。
【請求項１０】
前記裏面シートよりも肌面側に設けられた吸収体を有し、
前記テープ部材は、前記裏面シートに固定された固定部を有し、
前記固定部の少なくとも一部は、前記吸収体と厚み方向に重なっている、請求項１から９のいずれか１項に記載の吸収性物品。
【請求項１１】
前記テープ部材の少なくとも前記非固定部の、前記裏面シートに接する面が、静電気防止処理されている、請求項１から１０のいずれか１項に記載の吸収性物品。
【請求項１２】
前記裏面シートよりも肌面側に設けられた吸収体を有し、
前記テープ部材は、前記裏面シートに固定された固定部を有し、
前記テープ部材の前記非固定部は、前記吸収体に形成されたエンボス又は前記吸収体に設けられた低目付領域と厚み方向に重なっている、請求項１から１１のいずれか１項に記載の吸収性物品。
【請求項１３】
前記テープ部材の前記非固定部は、前記テープ部材の外縁で前記テープ部材の縁辺に沿って前記テープ部材の一辺全体にわたって延びている、請求項１から１２のいずれか１項に記載の吸収性物品。
【請求項１４】
前記テープ部材の前記非固定部は、前記粘着部と重ならない位置に設けられている、請求項１から１３のいずれか１項に記載の吸収性物品。
【発明の詳細な説明】
【技術分野】
【０００１】
本発明は、生理用ナプキン、パンティライナー、母乳パッド、大人用失禁パッド、糞便パッド又は汗取りシートのように、裏面シート側に着衣に固定する粘着部を有する吸収性物品に関する。
【背景技術】
【０００２】
生理用ナプキンやパンティライナーのような吸収性物品は、使用時に、着用者に着用される着用物品の内側に取り付けられる。一般に、着用物品の内側に取り付けられる吸収性物品は、着用物品に対する吸収性物品のずれを防止するための粘着部を有する。この粘着部は、吸収性物品の肌面側（着用者の肌に面する側）とは反対側の面に設けられる。このような吸収性物品では、使用後に着用物品から外した着用物品を長手方向に巻くと、粘着部が吸収性物品の肌面に当たる。しかし、使用後の吸収性物品の肌面（表面シート）には体液が付着しているため、体液が粘着部と表面シートとの接合を阻害し、吸収性物品をコンパクトに巻くことができない場合があった。【０００３】
特許文献１は、後処理テープ部分を備えた生理用ナプキンを開示している。この生理用ナプキンは、使用時に着用者の肌に面するナプキン吸収面と、使用時に下着に面するナプキンガード面と、を有する。生理用ナプキンを下着に接着するための接着テープが、ナプキンガード面に設けられている。また、後処理テープ部分は、ナプキンの長手方向においてナプキン吸収面から外側に突出した部分に設けられている。さらに、後処理テープ部分は、ナプキン吸収面と同じ方向、すなわち着用者の肌の方向に向けられている。【０００４】
特許文献２は、小さくまとめて捨てられる生理用ナプキンを開示している。この生理用ナプキンは、衣類に接着する面の前側及び後側のうちの片方の一部に後処理テープ（テープカバー付きテープ）を有する。テープカバー付きテープのテープカバーをはがし、丸めるか、幾重かに折り曲げた方に接着することによって、生理用ナプキンを小さくまとめて捨てることができるとされている。【０００５】
特許文献３，４は、吸収体よりも非肌面側に位置する非肌面シートの一部を破くことによって、非肌面シートの一部を後処理テープの一部として利用可能な使い捨ておむつを開示している。
【先行技術文献】
【特許文献】
【０００６】
【特許文献１】実開平０４−３５４２２号公報
【特許文献２】実開平０２−９４５３３号公報
【特許文献３】特開２０１４−１２１４０９号公報
【特許文献４】特開２００８−５４１９２５号公報
【発明の概要】
【０００７】
後処理テープを備えた使い捨ておむつについては多く流通しているが、生理用ナプキンのように着用者の衣類に取り付けて使用する吸収性物品に後処理テープが設けられる例は少ない。特許文献１，２は、後処理テープを備えた生理用ナプキンを開示している。しかしながら、生理用ナプキンのように着用者の衣類に取り付けて使用する吸収性物品における後処理テープについて、操作性や取扱い性等の観点から未だ改善の余地がある。
【０００８】
一態様に係る吸収性物品は、前後方向と、前後方向に直交する幅方向と、着用者の肌とは反対側に向けられる裏面シートと、裏面シートの非肌面側に設けられた粘着部と、裏面シートの非肌面側に固定された後処理用のテープ部材と、を有する。テープ部材の裏面シートに接する部分は、裏面シートに固定されていない非固定部を有する。テープ部材の非固定部は、テープ部材の内側からテープ部材の外縁の少なくとも一部に達している。
【図面の簡単な説明】
【０００９】
【図１】図１は、肌面側から見た第１実施形態に係る吸収性物品の平面図である。
【図２】図２は、非肌面側から見た第１実施形態に係る吸収性物品の平面図である。
【図３】図３は、前後方向に巻かれた状態の第１実施形態に係る吸収性物品の斜視図である。
【図４】図４は、幅方向の外側から見た前後方向に巻かれた吸収性物品の模式図である。
【図５】図５は、非肌面側から見た第２実施形態に係る吸収性物品の平面図である。
【図６】図６は、幅方向の外側から見た前後方向に巻かれた吸収性物品の模式図である。
【図７】図７は、前後方向に巻かれた状態の第２実施形態に係る吸収性物品の斜視図である。
【発明を実施するための形態】
【００１０】
（１）実施形態の概要
本明細書及び添付図面の記載により、少なくとも以下の事項が明らかとなる。
【００１１】
一態様に係る吸収性物品は、前後方向と、前記前後方向に直交する幅方向と、着用者の肌とは反対側に向けられる裏面シートと、前記裏面シートの非肌面側に設けられた粘着部と、前記裏面シートの非肌面側に固定された後処理用のテープ部材と、を有し、前記テープ部材の前記裏面シートに接する部分は、前記裏面シートに固定されていない非固定部を有し、前記テープ部材の前記非固定部は、前記テープ部材の内側から前記テープ部材の外縁の少なくとも一部に達している。
【００１２】
通常、使用者は、使用後に吸収性物品を巻く。吸収性物品を巻いた状態にしたとき、裏面シートは湾曲することになる。テープ部材の内側からテープ部材の外縁の少なくとも一部に達するテープ部材の非固定部は、使用者によって操作可能な操作部分を構成する。ここで、後処理用のテープ部材の非固定部はテープ部材の外縁の少なくとも一部に達しているため、テープ部材の外縁の少なくとも一部（操作部分の縁）は湾曲した裏面シートから浮き上がる。使用者は、このテープ部材の浮き上がった部分をつまんで、テープ部材を操作することができる。使用者は、テープ部材を裏面シートの粘着部に固定することによって、吸収性物品を巻いた状態に維持することができる。
【００１３】
好ましい一態様によれば、前記テープ部材の前記非固定部は、前記吸収性物品の前記前後方向における外縁に配置されている。
【００１４】
使用者の多くは、使用後に、前側から後側に向けて、又は後側から前側に向けて吸収性物品を巻く。したがって、テープ部材の非固定部が前後方向における外縁に配置されている場合、テープ部材の非固定部は、吸収性物品が巻かれたときの裏面シートの湾曲方向における外縁に位置することになる。よって、吸収性物品が前後方向に巻かれたときにテープ部材の前後方向における外縁が裏面シートから浮き上がるので、使用者は、テープ部材を容易につまんで操作できるようになる。
【００１５】
好ましい一態様によれば、前記テープ部材の前記非固定部は、前記前後方向における前記吸収性物品の中心に近い方の外縁に配置されている。
【００１６】
使用者が、前後方向に吸収性物品を巻いたとき、前後方向における吸収性物品の外縁は真っ直ぐに展開しようとするため、前後方向における吸収性物品の外縁よりも前後方向における吸収性物品の中央に近い方がよりしっかりと湾曲する。したがって、テープ部材の非固定部が前後方向における吸収性物品の中心に近い方の外縁に配置されていることによって、テープ部材の前後方向における外縁が裏面シートからより浮き上がり易い。よって、使用者は、テープ部材をより容易につまんで操作できるようになる。
【００１７】
好ましい一態様によれば、前記テープ部材の前記非固定部は、前記テープ部材の外縁に沿って、一方向に端から端まで延びている。
【００１８】
テープ部材の非固定部が、テープ部材の外縁に沿って端から端まで延びているため、吸収性物品を巻いたときに、テープ部材が裏面シートからより浮き上がり易い。よって、使用者は、テープ部材をより容易につまんで操作できるようになる。
【００１９】
好ましい一態様によれば、吸収性物品は、前記裏面シートよりも肌面側に設けられた吸収体を有し、前記テープ部材は、前記裏面シートに固定された固定部を有し、前記固定部の少なくとも一部は、前記吸収体と厚み方向に重なっている。
【００２０】
吸収体が存在する領域は、吸収性物品の中で特に剛性が高い領域になる。テープ部材の固定部の少なくとも一部が吸収体と厚み方向に重なっているため、吸収性物品を巻いたときに、剛性の高い領域に位置するテープ部材の固定部は、吸収性物品とともにしっかりと湾曲する。このように、テープ部材の固定部がしっかりと湾曲することで、テープ部材の非固定部がより裏面シートから浮き上がり易くなる。よって、使用者は、テープ部材をより容易につまんで操作できるようになる。
【００２１】
好ましい一態様によれば、前記テープ部材の少なくとも前記非固定部の、前記裏面シートに接する面が、静電気防止処理されている。
【００２２】
静電気によって、テープ部材が裏面シートに張り付くことがある。テープ部材の少なくとも非固定部の、裏面シートに接する面が、静電気防止処理されていることによって、静電気の発生を抑制することができる。これにより、吸収性物品を巻いたときにテープ部材の非固定部がより裏面シートから浮き上がり易くなる。
【００２３】
好ましい一態様によれば、前記テープ部材は、前記テープ部材の前記外縁から前記テープ部材の内側へ向けた方向へ延びる一対の引き裂き部を有し、前記一対の引き裂き部どうしの間の領域は、前記非固定部である。
【００２４】
使用者は、一対の引き裂き部によってテープ部材を引き裂くことによって、一対の引き裂き部どうしの間の部分（操作部分）を操作することができる。この一対の引き裂き部どうしの間の部分を、裏面シートの粘着部に固定することによって、吸収性物品を巻いた状態に維持することができる。一方、吸収性物品の使用中では、一対の引き裂き部どうしの間の部分はその周りの部分と連結されているため、折り曲がったりすることがない。
【００２５】
好ましい一態様によれば、前記テープ部材の前記外縁は凸部を有し、前記一対の引き裂き部は前記凸部を挟む位置に配置されている。
【００２６】
一対の引き裂き部がテープ部材の外縁の凸部を挟む位置に配置されているため、吸収性物品を巻いたときに、テープ部材の外縁の凸部は裏面シートから浮き上がり易い。よって、使用者は、テープ部材をより容易につまんで操作できるようになる。
【００２７】
好ましい一態様によれば、前記一対の引き裂き部は、交互に並んだ穴部と非穴部とを含み、前記穴部は、前記テープ部材の前記外縁に達している。
【００２８】
引き裂き部の穴部がテープ部材の外縁に達しているため、吸収性物品を巻いたときに、テープ部材の外縁の凸部は裏面シートからより浮き上がり易い。よって、使用者は、テープ部材をより容易につまんで操作できるようになる。
【００２９】
好ましい一態様によれば、前記テープ部材の、前記一対の引き裂き部よりも両外側に、前記テープ部材を裏面シートに固定する固定部が設けられている。
【００３０】
一対の引き裂き部よりも両外側の領域は、固定部によって裏面シートに固定されているため、吸収性物品を巻いたときによりしっかりと湾曲する。したがって、吸収性物品を巻いたときに、一対の引き裂き部どうしの間の領域（操作部分）が裏面シートからより浮き上がり易い。よって、使用者は、テープ部材をより容易につまんで操作できるようになる。
【００３１】
好ましい一態様によれば、前記一対の引き裂き部が延びる方向に直交する方向において、前記固定部は、前記一対の引き裂き部と少なくとも部分的に重なっている。
【００３２】
これにより、吸収性物品を巻いたときに、操作部分が裏面シートからより浮き上がり易くなる。よって、使用者は、テープ部材をより容易につまんで操作できるようになる。
【００３３】
好ましい一態様によれば、前記裏面シートの、前記テープ部材の少なくとも前記非固定部に接する面が、静電気防止処理されている。
【００３４】
これにより、テープ部材が裏面シートに静電気によって張り付くことを抑制することができる。したがって、吸収性物品を巻いたときにテープ部材の非固定部がより裏面シートから浮き上がり易くなり、使用者は、テープ部材をより容易につまんで操作できるようになる。
【００３５】
好ましい一態様によれば、吸収性物品は、前記裏面シートよりも肌面側に設けられた吸収体を有し、前記テープ部材は、前記裏面シートに固定された固定部を有し、前記テープ部材の前記非固定部は、吸収体に形成されたエンボス又は吸収体に設けられた低目付領域と厚み方向に重なっている。
【００３６】
テープ部材の非固定部は、吸収体に形成されたエンボス又は吸収体に設けられた低目付領域と厚み方向に重なっていると、テープ部材の非固定部と裏面シート（吸収体）との間に隙間ができ易い。したがって、吸収性物品を巻いたときにテープ部材の非固定部がより裏面シートから浮き上がり易くなり、使用者は、テープ部材をより容易につまんで操作できるようになる。
【００３７】
好ましい一態様によれば、前記テープ部材の前記非固定部は、前記テープ部材の外縁で前記テープ部材の縁辺に沿って前記テープ部材の一辺全体にわたって延びている。
【００３８】
これにより、吸収性物品を巻いたときにテープ部材の上記一辺全体が裏面シートから浮き上がり易くなる。したがって、使用者は、テープ部材の非固定部をより容易につまんで操作できるようになる。
【００３９】
好ましい一態様によれば、前記テープ部材の前記非固定部は、前記粘着部と重ならない位置に設けられている。
【００４０】
これにより、吸収性物品を巻いたときにテープ部材の非固定部が裏面シートから浮き上がり易くなる。したがって、使用者は、テープ部材の非固定部をより容易につまんで操作できるようになる。
【００４１】
（２）第１実施形態
図１は、肌面側から見た第１実施形態に係る吸収性物品の平面図である。図２は、非肌面側から見た第１実施形態に係る吸収性物品の平面図である。ここで、「肌面側」は、使用中に着用者の肌に面する側に相当する。「非肌面側」は、使用中に着用者の肌とは反対に向けられる側に相当する。
【００４２】
吸収性物品は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００４３】
吸収性物品１０は、表面シート２０と、裏面シート２２と、表面シート２０と裏面シート２２との間の吸収体３０と、を有する。表面シート２０は、使用中に着用者の肌の方に向く。裏面シート２２は、使用中に、着用者の肌とは反対側に向けられる。吸収体３０は、吸収性物品の前後方向Ｌに沿って延びている。
【００４４】
吸収性物品１０は、ウイング４０及びヒップフラップ５０を有していてもよい。ウイング４０は、使用時に着用物品のクロッチ部の非肌面側に折り返される。ヒップフラップ５０は、ウイング４０よりも後方で、幅方向Ｗに膨らんだ部分である。ヒップフラップ５０は、幅方向Ｗにおける吸収体３０の外縁よりも外側に膨らんだ部分である。
【００４５】
吸収性物品１０は、使用中に着用者の排泄口（例えば膣口）に対向する排泄口対向域Ｓ１を有する。排泄口対向域Ｓ１は、着用者の股下、すなわち着用者の両足の間に配置される領域であって、吸収体３０が存在する領域に相当する。なお、ウイング４０を有する吸収性物品１０では、排泄口対向域Ｓ１は、ウイング４０どうしの間であって、吸収体３０が存在する領域に相当する。
【００４６】
図２に示すように、吸収性物品１０は、裏面シート２２の非肌面側に設けられた粘着部４２，５２，７０を有する。粘着部４２，５２，７０は、吸収性物品１０を着用物品に止めるための粘着剤が設けられた領域である。粘着部は、本体粘着部７０と、ウイング粘着部４２と、フラップ粘着部５２と、を含む。
【００４７】
本体粘着部７０は、吸収性物品の厚み方向において、吸収体３０と重なる領域に設けられている。本体粘着部７０は、少なくとも排泄口対向域Ｓ１から吸収性物品１０の後方へ連続的又は断続的に延びていることが好ましい。本体粘着部７０は、前後方向Ｌに延びており、幅方向Ｗに間隔をあけて複数設けられていてよい。
【００４８】
ウイング粘着部４２はウイング４０に設けられている。ウイング４０は、使用中に着用者の着用物品に折り返され、ウイング粘着部４２によって着用物品の非肌面側に取り付けられる。フラップ粘着部５２はヒップフラップ５０に設けられている。
【００４９】
吸収性物品１０は、幅方向Ｗに沿って延びた少なくとも２つの折り線を有していてもよい。図１，２に示す例では、吸収性物品１０は、３つの折り線Ｆ１〜Ｆ３を有している。これらの折り線Ｆ１〜Ｆ３は、吸収性物品の包装時に、吸収性物品を折り畳むためのラインである。
【００５０】
吸収性物品１０は、裏面シート２２の非肌面側に、吸収性物品１０の外縁よりも内側に配置されたテープ部材６０をさらに有する。したがって、テープ部材６０は、肌面側から見ると、吸収性物品１０に隠れた状態となる。
【００５１】
テープ部材６０は、吸収性物品１０の外縁よりも外側に延出可能に構成されている。一例として、テープ部材６０は、伸縮性シートから構成されていてよい。この場合、着用者がテープ部材６０を引っ張ることによって、テープ部材６０が吸収性物品１０の外縁よりも外側に延出する。
【００５２】
別の例として、テープ部材６０は、Ｚ型に折り畳まれたシートから構成されていてもよい。この場合、着用者がテープ部材６０の先端を引っ張ることによって、折り畳まれたテープ部材６０が展開され、これによりテープ部材６０が吸収性物品１０の外縁よりも外側に延出する。
【００５３】
テープ部材６０は、後処理用のテープであり、吸収性物品１０を丸めた状態で本体粘着部７０に取り付けられる程度に延出可能であればよい。また、テープ部材６０は、本体粘着部７０に取り付け可能な材料であれば、どのような材料から構成されていてもよい。好ましくは、テープ部材６０は、表面シート２０よりも本体粘着部７０に粘着し易い材料からなる。なお、テープ部材６０は、粘着剤を有していなくてもよい。
【００５４】
テープ部材６０は吸収性物品１０の非肌面に固定された固定部６２を有しており、延出方向におけるテープ部材６０の先端部は、固定部６２とは反対側に向けられている。この場合、テープ部材６０を吸収性物品１０の外縁よりも外側に延出させる際に、テープ部材６０の固定部６２には延出方向にのみ力が働くことになる。これにより、固定部６２にかかる力をなるべく小さくすることができるため、テープ部材６０の固定強度を維持することができる。
【００５５】
使用者は、吸収性物品１０の使用後に吸収性物品１０を前後方向Ｌに巻いた後、テープ部材６０を吸収性物品１０の外縁よりも外側に延出させることができる（図３参照）。使用中においては、テープ部材６０は、裏面シート２２の非肌面側で吸収性物品１０の外縁よりも内側に配置されているため、テープ部材６０に経血のような体液が付着しない。使用者は、吸収性物品１０の使用後に、外側に延出させたテープ部材６０を、裏面シート２２の別の部分に設けられた粘着部７０に取り付けることによって、吸収性物品１０を丸めた状態に維持することができる。ここで、テープ部材６０に経血のような体液が付着しないため、テープ部材６０と粘着部７０との接合力の低下を防止することができ、これにより吸収性物品１０を小さく丸めた状態に維持し易くすることができる。
【００５６】
なお、吸収性物品１０は、経血等の体液が付着した面を内側にして巻かれるので、巻かれた吸収性物品１０の表面には、体液は付着していない。これにより、使用者は、使用後の吸収性物品１０を清潔に処理することができる。
【００５７】
また、使用者は、使用後の吸収性物品１０を小さく丸めた状態で一端近くの小スペース上に置いておくことができる。したがって、使用者は、新しい吸収性物品１０を下着のような着用物品に取り付け、下着や服を着用した後に、使用後の吸収性物品１０をゴミ箱等に廃棄することができる。また、吸収性物品１０を廃棄するゴミ箱が近くにない状況下において、使用者は、小さく丸めた吸収性物品１０をかばんにしまって持ち帰ることもできる。
【００５８】
テープ部材６０の裏面シート２２に接する部分は、裏面シート２２に固定された固定部６２と、裏面シート２２に固定されていない非固定部６４と、を有する。テープ部材６０の非固定部６４は、テープ部材６０の内側からテープ部材６０の外縁６０ｅの少なくとも一部に達している。
【００５９】
図４は、幅方向Ｗの外側から見た前後方向に巻かれた吸収性物品１０の模式図である。前述したように、使用者は、使用後に吸収性物品１０を巻く。吸収性物品１０を巻いた状態にしたとき、裏面シート２２は湾曲することになる。テープ部材６０の内側からテープ部材６０の外縁の少なくとも一部に達するテープ部材６０の非固定部６４は、使用者によって操作可能な操作部分を構成する。ここで、後処理用のテープ部材６０の非固定部６４はテープ部材の外縁６０ｅの少なくとも一部に達しているため、テープ部材の外縁６０ｅの少なくとも一部（操作部分の縁）は湾曲した裏面シート２２から浮き上がる（図４参照）。使用者は、このテープ部材６０の浮き上がった部分をつまんで、テープ部材６０を操作することができる。使用者は、テープ部材６０を裏面シート２２の本体粘着部７０に固定することによって、吸収性物品１０を巻いた状態に維持することができる。
【００６０】
テープ部材６０の非固定部６４は、吸収性物品１０の前後方向Ｌにおける外側の縁６０ｅに配置されていることが好ましい。使用者の多くは、使用後に、前側縁Ｅ１から後側縁Ｅ２に向けて、又は後側縁Ｅ２から前側縁Ｅ１に向けて吸収性物品１０を巻く。したがって、テープ部材６０の非固定部６４が前後方向Ｌにおける外縁に配置されている場合、テープ部材６０の非固定部６４は、吸収性物品１０が巻かれたときの裏面シート２２の湾曲方向における外縁に位置することになる。よって、吸収性物品１０が前後方向Ｌに巻かれたときにテープ部材６０の前後方向Ｌにおける外縁が裏面シート２２から浮き上がるので、使用者は、テープ部材を容易につまんで操作できるようになる。
【００６１】
テープ部材６０の非固定部６４は、テープ部材６０の外縁６０ｅに沿って、一方向（図示した例では幅方向Ｗ）に沿って、端から端まで延びていることが好ましい。これにより、吸収性物品１０を巻いたときに、テープ部材６０が裏面シート２２からより浮き上がり易くなる。よって、使用者は、テープ部材６０をより容易につまんで操作できるようになる。
【００６２】
本実施形態では、テープ部材６０の固定部６２は、テープ部材６０の非固定部６４と前後方向Ｌに隣接している。テープ部材６０の固定部６２の少なくとも一部は、裏面シート２２よりも肌面側に設けられた吸収体３０と厚み方向に重なっていることが好ましい。吸収体３０が存在する領域は、吸収性物品１０の中で特に剛性が高い領域になる。テープ部材６０の固定部６２の少なくとも一部が吸収体３０と厚み方向に重なっているため、吸収性物品１０を巻いたときに、剛性の高い領域に位置するテープ部材６０の固定部６２は、吸収性物品１０とともにしっかりと湾曲する。このように、テープ部材６０の固定部６２がしっかりと湾曲することで、テープ部材６０の非固定部６４がより裏面シート２２から浮き上がり易くなる。よって、使用者は、テープ部材６０をより容易につまんで操作できるようになる。
【００６３】
裏面シート２２とテープ部材６０の両方が、フィルム、例えば合成樹脂フィルムから構成されていてよい。また、テープ部材６０の少なくとも非固定部６４の、裏面シート２２に接する面が、静電気防止処理されていることが好ましい。静電気防止処理は、例えばコロナ処理やエンボス加工のような表面処理であってよい。静電気によって、テープ部材６０が裏面シート２２に張り付くことがある。テープ部材６０の少なくとも非固定部６４の、裏面シート２２に接する面が、静電気防止処理されていることによって、静電気の発生を抑制することができる。これにより、吸収性物品１０を巻いたときにテープ部材６０の非固定部がより裏面シート２２から浮き上がり易くなる。
【００６４】
特に、テープ部材が合成樹脂フィルムから構成されている場合、裏面シート２２との接触により静電気が発生し易いため、テープ部材６０の少なくとも非固定部６４の、裏面シート２２に接する面が、静電気防止処理されていることが好ましい。
【００６５】
同様に、裏面シート２２の、テープ部材６０の少なくとも非固定部６４に接する面が、静電気防止処理されていてもよい。これにより、テープ部材６０の非固定部６４が裏面シート２２に静電気によって張り付くことを抑制することができる。したがって、吸収性物品１０を巻いたときにテープ部材６０の非固定部６４がより裏面シート２２から浮き上がり易くなり、使用者は、テープ部材６０をより容易につまんで操作できるようになる。
【００６６】
図２に示す態様では、テープ部材６０の非固定部６４は、前後方向Ｌにおける吸収性物品１０の後側縁Ｅ２に近い方に配置されている。この代わりに、テープ部材６０の非固定部６４は、前後方向Ｌにおける吸収性物品１０の中心に近い方の外縁に配置されていてもよい。使用者が、前後方向Ｌに吸収性物品１０を巻いたとき、前後方向Ｌにおける吸収性物品１０の外縁は真っ直ぐに展開しようとするため、前後方向Ｌにおける吸収性物品１０の外縁よりも前後方向Ｌにおける吸収性物品１０の中央に近い領域の方がよりしっかりと湾曲する。したがって、テープ部材６０の非固定部６４が前後方向Ｌにおける吸収性物品１０の中心に近い方の外縁に配置されていることによって、テープ部材６０の前後方向Ｌにおける外縁が裏面シート２２からより浮き上がり易い。よって、使用者は、テープ部材６０をより容易につまんで操作できるようになる。
【００６７】
（３）第２実施形態
次に、第２実施形態に係る吸収性物品について参照して説明する。なお、前述の実施形態と同様の構成については、同様の符号が付されており、その説明を省略することがある。以下では、前述の実施形態と異なる構成について詳細に説明する。
【００６８】
図５は、非肌面側から見た第２実施形態に係る吸収性物品１０の平面図である。図６は、幅方向Ｗの外側から見た前後方向に巻かれた吸収性物品の模式図である。図７は、前後方向に巻かれた状態の第２実施形態に係る吸収性物品の斜視図である。
【００６９】
テープ部材６０の裏面シート２２に接する部分は、裏面シート２２に固定された固定部６２と、裏面シート２２に固定されていない非固定部６４と、を有する。テープ部材６０の非固定部６４は、吸収性物品１０の前後方向Ｌにおける外側の縁６０ｅに配置されていてよい。
【００７０】
本実施形態では、テープ部材６０は、テープ部材６０の外縁６０ｅからテープ部材６０の内側へ向けた方向へ延びる一対の引き裂き部１６４を有する。一対の引き裂き部１６４どうしの間の領域は、テープ部材６０の非固定部６４である。引き裂き部１６４は、一例として、テープ部材６０に形成された複数の穴部１６４ａと、穴部１６４ａどうしの間の非穴部１６４ｂと、を含むミシン目によって構成されていてよい。
【００７１】
使用者は、一対の引き裂き部１６４によってテープ部材６０を引き裂くことによって、一対の引き裂き部１６４どうしの間の操作部分（非固定部６４）を操作することができる。この一対の引き裂き部どうしの間の非固定部６４を、裏面シート２２の本体粘着部７０に固定することによって、吸収性物品１０を巻いた状態に維持することができる。一方、吸収性物品１０の使用中では、一対の引き裂き部１６４どうしの間の非固定部６４はその周りの部分と非穴部１６４ｂで連結されているため、折り曲がったりすることがない。
【００７２】
テープ部材６０の外縁６０ｅは凸部１６６を有していてよい。一対の引き裂き部１６４は凸部１６６を挟む位置に配置されていることが好ましい。これにより、吸収性物品を巻いたときに、テープ部材６０の外縁６０ｅの凸部１６６は裏面シート２２から浮き上がり易い。よって、使用者は、テープ部材６０の突出部分１６６をより容易につまんで操作できるようになる。
【００７３】
一対の引き裂き部１６４は、テープ部材６０に形成された複数の穴部１６４ａと、穴部１６４ａどうしの間の非穴部１６４ｂと、を含む。穴部１６４ａは、テープ部材６０の外縁６０ｅに達していることが好ましい。これにより、吸収性物品１０を巻いたときに、テープ部材６０の外縁６０ｅの凸部１６６は裏面シート２２から浮き上がり易くなる（図６も参照）。よって、使用者は、テープ部材６０の外縁６０ｅの凸部１６６をより容易につまんで操作できるようになる。
【００７４】
一対の引き裂き部１６４どうしの間の距離は、テープ部材６０の外縁６０ｅから、引き裂き部１６４の引き裂き方向の下流に向かうにつれて大きくなっていることが好ましい。これにより、一対の引き裂き部１６４どうしの間の領域、すなわち操作部分が、根元で切れてしまう虞を抑制することができる。
【００７５】
好ましくは、テープ部材６０の非固定部６４は、前後方向Ｌにおける吸収性物品１０の中心に近い方の外縁６０ｅに配置されている。使用者が、前後方向Ｌに吸収性物品１０を巻いたとき、前後方向Ｌにおける吸収性物品１０の外縁は真っ直ぐに展開しようとするため、前後方向Ｌにおける吸収性物品１０の外縁よりも前後方向Ｌにおける吸収性物品１０の中央に近い方がよりしっかりと湾曲する。したがって、テープ部材６０の非固定部６４が前後方向Ｌにおける吸収性物品１０の中心に近い方の外縁６０ｅに配置されていることによって、テープ部材６０の前後方向Ｌにおける外縁６０ｅが裏面シート２２からより浮き上がり易い。よって、使用者は、テープ部材をより容易につまんで操作できるようになる。
【００７６】
テープ部材６０の非固定部６４は、テープ部材の外縁６０ｅに沿って、一方向（図示した例では幅方向Ｗ）に端から端まで延びていることが好ましい。これにより、吸収性物品１０を巻いたときに、テープ部材６０が裏面シート２２からより浮き上がり易い。よって、使用者は、テープ部材６０をより容易につまんで操作できるようになる。
【００７７】
テープ部材６０を裏面シート２２に固定する固定部６２は、テープ部材６０の、一対の引き裂き部１６４よりも両外側に設けられていることが好ましい。一対の引き裂き部１６４が延びる方向に直交する方向において、固定部６２は、一対の引き裂き部１６４と少なくとも部分的に重なっていることがより好ましい。一対の引き裂き部１６４よりも両外側の領域は、固定部６２によって裏面シート２２に固定されているため、吸収性物品１０を巻いたときによりしっかりと湾曲する。したがって、吸収性物品１０を巻いたときに、一対の引き裂き部１６４どうしの間の操作部分（非固定部６４）が裏面シート２２からより浮き上がり易い。よって、使用者は、テープ部材６０をより容易につまんで操作できるようになる。
【００７８】
テープ部材６０を裏面シート２２に固定する固定部６２は、操作部分を構成する非固定部６４に対して、一対の引き裂き部の引き裂き方向の下流に隣接していてよい。これにより、テープ部材６０の操作部分を摘まんで一対の引き裂き部１６４を引き裂いたときに、テープ部材６０の操作部分が破断してしまうことを抑制することができる。
【００７９】
テープ部材６０の固定部６２の少なくとも一部は、裏面シート２２よりも肌面側に設けられた吸収体３０と厚み方向に重なっていることが好ましい。吸収体３０が存在する領域は、吸収性物品１０の中で特に剛性が高い領域になる。テープ部材６０の固定部６２の少なくとも一部が吸収体３０と厚み方向に重なっているため、吸収性物品１０を巻いたときに、剛性の高い領域に位置するテープ部材６０の固定部６２は、吸収性物品１０とともにしっかりと湾曲する。このように、テープ部材６０の固定部６２がしっかりと湾曲することで、テープ部材６０の非固定部６４がより裏面シート２２から浮き上がり易くなる。よって、使用者は、テープ部材６０をより容易につまんで操作できるようになる。
【００８０】
テープ部材６０の非固定部６４は、テープ部材６０の外縁でテープ部材６０の縁辺に沿ってテープ部材６０の一辺全体にわたって延びていてよい。具体的には、テープ部材６０の操作部分、すなわち前後方向Ｌにおける吸収性物品１０の中心に近い方の外縁６０ｅが、幅方向Ｗに沿った一辺全体にわたって、裏面シート２２に固定（接着）されていないことが好ましい。
【００８１】
これにより、吸収性物品１０を巻いたときにテープ部材６０の上記一辺全体が裏面シート２２から浮き上がり易くなる。したがって、使用者は、テープ部材６０の非固定部６４をより容易につまんで操作できるようになる。
【００８２】
吸収体３０には、所定パターンのエンボス（圧縮部）が形成されていてもよい。また、吸収体３０は、周囲の吸収体３０の目付よりも低い目付を有する低目付領域を有していてもよい。この場合、テープ部材６０の非固定部６４は、吸収体３０に形成されたエンボス又は吸収体３０に設けられた低目付領域と厚み方向に重なっていることが好ましい。テープ部材６０の非固定部６４が吸収体３０に形成されたエンボス又は吸収体３０に設けられた低目付領域と厚み方向に重なっていると、テープ部材６０の非固定部６４と裏面シート２２（又は吸収体３０）との間に隙間ができ易い。したがって、吸収性物品１０を巻いたときにテープ部材６０の非固定部６４がより裏面シート２２から浮き上がり易くなり、使用者は、テープ部材６０の非固定部６４をより容易につまんで操作できるようになる。
【００８３】
なお、第１実施形態と同様に、裏面シート２２とテープ部材６０の両方が、フィルム、例えば合成樹脂フィルムから構成されていることが好ましい。また、テープ部材６０の少なくとも非固定部６４の、裏面シート２２に接する面が、静電気防止処理されていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８５】
例えば、上述した各実施形態に記載された構成及び特徴は、可能な限り組合せ及び／又は置き換え可能であることに留意されたい。
【００８６】
また、上記実施形態では、吸収性物品１０の使用後にテープ部材６０を本体粘着部７０に取り付けることについて説明した。しかしながら、これに限らず、テープ部材６０は、吸収性物品１０を丸めた状態で維持することができれば、ウイング粘着部４２やフラップ粘着部５２に取り付けられてもよい。なお、吸収性物品１０は比較的柔らかい物品であるため、必ずしもテープ部材６０を真っ直ぐに延ばした位置に粘着部４２，５２，７０が位置していなくても、テープ部材６０を粘着部４２，５２，７０に取り付けることができることに留意されたい。
【００８７】
この代わりに、テープ部材に粘着材を設け、テープ部材の粘着材を利用して吸収性物品を巻いた状態に維持してもよい。
【００８８】
上記実施形態では、テープ部材６０は、吸収性物品の後側縁付近に設けられているが、テープ部材６０を用いて吸収性物品１０を巻いた状態で維持できれば、テープ部材の位置はこれに限定されない。
【００８９】
なお、２０１６年１２月２２日に出願された日本国特許出願第２０１６−２５０１４９号の全内容が、参照により、本明細書に組み込まれる。
【産業上の利用可能性】
【００９０】
本態様によれば、操作性や取扱い性等の観点について改善された後処理用のテープ部材を備えた吸収性物品を提供することができる。
【符号の説明】
【００９１】
１０    吸収性物品
２０    表面シート
２２    裏面シート
３０    吸収体
４０    ウイング
４２    ウイング粘着部
５０    ヒップフラップ
５２    フラップ粘着部
６０    テープ部材
６２    固定部
６４    非固定部
７０    本体粘着部
Ｅ１    吸収性物品の前側縁
Ｅ２    吸収性物品の後側縁
Ｆ１    第１折り線
Ｆ２    第２折り線
Ｆ３    第３折り線
Ｌ      前後方向
Ｗ      幅方向
【図１】
0006755535.tif 000002
【図２】
0006755535.tif 000003
【図３】
0006755535.tif 000004
【図４】
0006755535.tif 000005
【図５】
0006755535.tif 000006
【図６】
0006755535.tif 000007
【図７】
0006755535.tif 000008